(57)【要約】【課題】  メディア通信をする通信端末の中間において、送信元及び宛先の通信端末に採用されている通信メディアを識別してメディア変換し、通信端末同士を相互接続させることを可能にする。【解決手段】  本発明のメディア変換システムは、ネットワークごとに対応している通信メディアの情報を記憶する手段と、通信端末から呼制御信号が与えられると、その通信端末の所属するネットワークに基づいて、その通信端末で採用されている通信メディアを識別する手段と、通信端末からデータの受信をするデータ受信手段と、受信データが、第１の通信端末から第２の通信端末に送信された、メディアデータである場合には、識別した通信メディアに従って、受信データを、第２の通信端末において採用されている通信メディアに対応するメディアデータに変換する手段と、変換されたメディアデータを、第２の通信端末に向けて送信する手段とを有することを特徴とする。【選択図】      図１
2010035226.tif 000002
【特許請求の範囲】
【請求項１】
通信端末からデータの受信をするデータ受信手段と、
上記データ受信手段が、第１の通信端末から受信したデータが、上記第１の通信端末から第２の通信端末へ発呼するための呼制御信号である場合に、その呼制御信号の内容に基づいて、上記第１の通信端末においてメディア通信に採用されている通信メディアを識別する第１の通信メディア識別手段とを有し、
上記第１の通信端末及び上記第２の通信端末は、複数のネットワークのうちいずれかに所属し、同一のネットワークに所属する通信端末は、採用されている通信メディアも同一であり、
上記各ネットワークにおいて採用されている通信メディアに関する情報を記憶するネットワーク採用通信メディア情報記憶手段と、
上記データ受信手段が、上記第１の通信端末から受信したデータが、上記第１の通信端末から上記第２の通信端末へ発呼するためのＳＩＰのＩＮＶＩＴＥ信号である場合に、そのＩＮＶＩＴＥ信号の内容から上記第２の通信端末が所属するネットワークを識別し、上記ネットワーク採用通信メディア情報記憶手段に記憶された情報から、上記第２の通信端末が所属するネットワークにおいて採用されている通信メディアを検索し、検出した通信メディアを、上記第２の通信端末において採用されている通信メディアと識別する第２の通信メディア識別手段と、
上記データ受信手段が、上記第１の通信端末から受信したデータが、上記第１の通信端末から上記第２の通信端末へ発呼するためのＩＮＶＩＴＥ信号である場合に、上記第２の通信メディア識別手段により識別した、上記第２の通信端末において採用されている通信メディアを用いたメディア通信を発呼するためのＩＮＶＩＴＥ信号を、上記第２の通信端末に送信する呼制御手段と、
上記データ受信手段が受信した受信データが、上記第１の通信端末又は上記第２の通信端末の一方から他方に送信された、メディア通信をするためのメディアデータである場合には、上記第１の通信メディア識別手段及び上記第２の通信メディア識別手段が識別した通信メディアに従って、上記メディアデータを、送信先の通信端末において採用されている通信メディアに対応するメディアデータに、変換するメディア変換手段と、
上記メディア変換手段によって変換されたメディアデータを、送信先の通信端末に向けて送信するデータ送信手段とをさらに有する
ことを特徴とするメディア変換システム。
【請求項２】
上記データ受信手段は、上記受信データが、上記メディア変換手段において変換対象となるメディアデータである場合にのみ、上記受信データを上記メディア変換手段に与えることを特徴とする請求項１に記載のメディア変換システム。
【請求項３】
通信端末間を流れるメディア通信をするためのメディアデータを、送信先のメディア通信に採用されている通信メディアに対応するメディアデータに変換し、送信先の通信端末に送信するメディア変換方法において、
データ受信手段、第１の通信メディア識別手段、ネットワーク採用通信メディア情報記憶手段、第２の通信メディア識別手段、呼制御手段、メディア変換手段、データ送信手段を有し、
上記データ受信手段は、通信端末からデータを受信し、
上記第１の通信メディア識別手段は、上記データ受信手段が、第１の通信端末から受信したデータが、上記第１の通信端末から上記第２の通信端末へ発呼するための呼制御信号である場合に、その呼制御信号の内容に基づいて、上記第１の通信端末においてメディア通信に採用されている通信メディアを識別し、
上記第１の通信端末及び上記第２の通信端末は、複数のネットワークのうちいずれかに所属し、同一のネットワークに所属する通信端末は、採用されている通信メディアも同一であり、
上記ネットワーク採用通信メディア情報記憶手段は、上記各ネットワークにおいて採用されている通信メディアに関する情報を記憶し、
上記第２の通信メディア識別手段は、上記データ受信手段が、上記第１の通信端末から受信したデータが、上記第１の通信端末から上記第２の通信端末へ発呼するためのＳＩＰのＩＮＶＩＴＥ信号である場合に、そのＩＮＶＩＴＥ信号の内容から上記第２の通信端末が所属するネットワークを識別し、上記ネットワーク採用通信メディア情報記憶手段に記憶された情報から、上記第２の通信端末が所属するネットワークにおいて採用されている通信メディアを検索し、検出した通信メディアを、上記第２の通信端末において採用されている通信メディアと識別し、
上記呼制御手段は、上記データ受信手段が、上記第１の通信端末から受信したデータが、上記第１の通信端末から上記第２の通信端末へ発呼するためのＩＮＶＩＴＥ信号である場合に、上記第２の通信メディア識別手段により識別した、上記第２の通信端末において採用されている通信メディアを用いたメディア通信を発呼するためのＩＮＶＩＴＥ信号を、上記第２の通信端末に送信し、
上記メディア変換手段は、上記データ受信手段が受信した受信データが、上記第１の通信端末又は上記第２の通信端末の一方から他方に送信された、メディア通信をするためのメディアデータである場合には、上記第１の通信メディア識別手段及び上記第２の通信メディア識別手段が識別した通信メディアに従って、上記メディアデータを、送信先の通信端末において採用されている通信メディアに対応するメディアデータに、変換し、
上記データ送信手段は、上記メディア変換手段によって変換されたメディアデータを、送信先の通信端末に向けて送信する
ことを特徴とするメディア変換方法。
【請求項４】
コンピュータを、
通信端末からデータの受信をするデータ受信手段と、
上記データ受信手段が、第１の通信端末から受信したデータが、上記第１の通信端末から第２の通信端末へ発呼するための呼制御信号である場合に、その呼制御信号の内容に基づいて、上記第１の通信端末においてメディア通信に採用されている通信メディアを識別する第１の通信メディア識別手段として機能させ、
上記第１の通信端末及び上記第２の通信端末は、複数のネットワークのうちいずれかに所属し、同一のネットワークに所属する通信端末は、採用されている通信メディアも同一であり、
上記各ネットワークにおいて採用されている通信メディアに関する情報を記憶するネットワーク採用通信メディア情報記憶手段と、
上記データ受信手段が、上記第１の通信端末から受信したデータが、上記第１の通信端末から上記第２の通信端末へ発呼するためのＳＩＰのＩＮＶＩＴＥ信号である場合に、そのＩＮＶＩＴＥ信号の内容から上記第２の通信端末が所属するネットワークを識別し、上記ネットワーク採用通信メディア情報記憶手段に記憶された情報から、上記第２の通信端末が所属するネットワークにおいて採用されている通信メディアを検索し、検出した通信メディアを、上記第２の通信端末において採用されている通信メディアと識別する第２の通信メディア識別手段と、
上記データ受信手段が、上記第１の通信端末から受信したデータが、上記第１の通信端末から上記第２の通信端末へ発呼するためのＩＮＶＩＴＥ信号である場合に、上記第２の通信メディア識別手段により識別した、上記第２の通信端末において採用されている通信メディアを用いたメディア通信を発呼するためのＩＮＶＩＴＥ信号を、上記第２の通信端末に送信する呼制御手段と、  上記データ受信手段が受信した受信データが、上記第１の通信端末又は上記第２の通信端末の一方から他方に送信された、メディア通信をするためのメディアデータである場合には、上記第１の通信メディア識別手段及び上記第２の通信メディア識別手段が識別した通信メディアに従って、上記メディアデータを、送信先の通信端末において採用されている通信メディアに対応するメディアデータに、変換するメディア変換手段と、
上記メディア変換手段によって変換されたメディアデータを、送信先の通信端末に向けて送信するデータ送信手段と
して、さらに機能させることを特徴とするメディア変換プログラム。
【請求項５】
第１の通信端末から受信したデータが、上記第１の通信端末から第２の通信端末へ発呼するための呼制御信号である場合に、その呼制御信号の内容に基づいて、上記第１の通信端末においてメディア通信に採用されている通信メディアを識別する第１の通信メディア識別手段を有し、
上記第１の通信端末及び上記第２の通信端末は、複数のネットワークのうちいずれかに所属し、同一のネットワークに所属する通信端末は、採用されている通信メディアも同一であり、
上記各ネットワークにおいて採用されている通信メディアに関する情報を記憶するネットワーク採用通信メディア情報記憶手段と、
上記第１の通信端末から受信したデータが、上記第１の通信端末から上記第２の通信端末へ発呼するためのＳＩＰのＩＮＶＩＴＥ信号である場合に、そのＩＮＶＩＴＥ信号の内容から上記第２の通信端末が所属するネットワークを識別し、上記ネットワーク採用通信メディア情報記憶手段に記憶された情報から、上記第２の通信端末が所属するネットワークにおいて採用されている通信メディアを検索し、検出した通信メディアを、上記第２の通信端末において採用されている通信メディアと識別する第２の通信メディア識別手段と、
上記第１の通信端末から受信したデータが、上記第１の通信端末から上記第２の通信端末へ発呼するためのＩＮＶＩＴＥ信号である場合に、上記第２の通信メディア識別手段により識別した、上記第２の通信端末において採用されている通信メディアを用いたメディア通信を発呼するためのＩＮＶＩＴＥ信号を、上記第２の通信端末に送信する呼制御手段と、
上記第１の通信メディア識別手段及び上記第２の通信メディア識別手段の識別結果を、外部のメディア変換装置に与える通信メディア情報送信手段とをさらに有する
ことを特徴とする呼制御装置。
【発明の詳細な説明】
【技術分野】
【０００１】
本発明は、メディア変換システム、メディア変換方法、メディア変換プログラム及び呼制御装置に関し、例えば、複数のネットワークを相互に接続させるゲートウェイに適用し得る。
【背景技術】
【０００２】
ネットワーク上においては、ＩＰ電話、テレビ電話、テキストによりメッセージ交換をするインスタントメッセージなどの多くの種類の通信メディアが存在しており、メディアデータを送信又は受信するにあたって、通信相手に応じてメディア変換を行う装置が提案されている。
【０００３】
特許文献１に記載の通信端末装置は、例えば、ある通話相手からの音声信号をテキスト変換して利用者に表示し、当該装置の利用者がキーボードなどにより入力したテキストの内容から音声を合成して通話相手に音声信号を送信することにより、同時に別の通話相手と音声通話やテレビ電話により通話することができるものである。
【０００４】
又、特許文献２に記載のメディア変換装置は、ネットワークを経由してビデオなどのコンテンツを、ストリーミング配信するサーバにおいて、サーバに接続する各クライアント端末が接続しているネットワークの帯域幅に応じて、適切なビットレートの通信メディアを識別し、メディア変換して配信するものである。
【先行技術文献】
【特許文献】
【０００５】
【特許文献１】特開２００６−２１０９７３号公報
【特許文献２】特開２００６−０６０８０２号公報
【発明の概要】
【発明が解決しようとする課題】
【０００６】
ＩＰ電話事業者やインターネット接続事業者の間では、相互に接続をすることがあり、採用する通信メディア（例えば、同じＩＰ電話の通信メディアでも複数の音声符号化方式や圧縮方式が存在する）が異なるネットワーク間を相互接続する際には、ネットワークの境界においてメディア変換を行うゲートウェイを配置し、ネットワーク間の端末同士の相互接続をさせる場合がある。
【０００７】
しかしながら、特許文献１及び特許文献２の装置では、端末がメディアデータを送信する際、又は受信する際に、変換元と変換先の通信メディアを識別し、メディア変換するものであり、例えば上述のゲートウェイのような、端末間の相互接続をするための中間的な装置に適用し、送信元及び宛先の端末が採用する通信メディアを識別して、メディア変換することができないという問題がある。
【０００８】
そこで、メディア通信をする通信端末の中間において、メディアデータの送信元及び宛先の通信端末に採用されている、通信メディアを識別して、必要に応じてメディア変換し、通信端末同士を相互接続させることができるメディア変換システム、メディア変換方法、メディア変換プログラム及び呼制御装置が望まれている。
【課題を解決するための手段】
【０００９】
第１の本発明のメディア変換システムは、（１）通信端末からデータの受信をするデータ受信手段と、（２）上記データ受信手段が、第１の通信端末から受信したデータが、上記第１の通信端末から第２の通信端末へ発呼するための呼制御信号である場合に、その呼制御信号の内容に基づいて、上記第１の通信端末においてメディア通信に採用されている通信メディアを識別する第１の通信メディア識別手段とを有し、（３）上記第１の通信端末及び上記第２の通信端末は、複数のネットワークのうちいずれかに所属し、同一のネットワークに所属する通信端末は、採用されている通信メディアも同一であり、（４）上記各ネットワークにおいて採用されている通信メディアに関する情報を記憶するネットワーク採用通信メディア情報記憶手段と、（５）上記データ受信手段が、上記第１の通信端末から受信したデータが、上記第１の通信端末から上記第２の通信端末へ発呼するためのＳＩＰのＩＮＶＩＴＥ信号である場合に、そのＩＮＶＩＴＥ信号の内容から上記第２の通信端末が所属するネットワークを識別し、上記ネットワーク採用通信メディア情報記憶手段に記憶された情報から、上記第２の通信端末が所属するネットワークにおいて採用されている通信メディアを検索し、検出した通信メディアを、上記第２の通信端末において採用されている通信メディアと識別する第２の通信メディア識別手段と、（６）上記データ受信手段が、上記第１の通信端末から受信したデータが、上記第１の通信端末から上記第２の通信端末へ発呼するためのＩＮＶＩＴＥ信号である場合に、上記第２の通信メディア識別手段により識別した、上記第２の通信端末において採用されている通信メディアを用いたメディア通信を発呼するためのＩＮＶＩＴＥ信号を、上記第２の通信端末に送信する呼制御手段と、（７）上記データ受信手段が受信した受信データが、上記第１の通信端末又は上記第２の通信端末の一方から他方に送信された、メディア通信をするためのメディアデータである場合には、上記第１の通信メディア識別手段及び上記第２の通信メディア識別手段が識別した通信メディアに従って、上記メディアデータを、送信先の通信端末において採用されている通信メディアに対応するメディアデータに、変換するメディア変換手段と、（８）上記メディア変換手段によって変換されたメディアデータを、送信先の通信端末に向けて送信するデータ送信手段とをさらに有することを特徴とする。
【００１０】
第２の本発明のメディア変換方法は、（１）通信端末間を流れるメディア通信をするためのメディアデータを、送信先のメディア通信に採用されている通信メディアに対応するメディアデータに変換し、送信先の通信端末に送信するメディア変換方法において、（２）データ受信手段、第１の通信メディア識別手段、ネットワーク採用通信メディア情報記憶手段、第２の通信メディア識別手段、呼制御手段、メディア変換手段、データ送信手段を有し、（３）上記データ受信手段は、通信端末からデータを受信し、（４）上記第１の通信メディア識別手段は、上記データ受信手段が、第１の通信端末から受信したデータが、上記第１の通信端末から上記第２の通信端末へ発呼するための呼制御信号である場合に、その呼制御信号の内容に基づいて、上記第１の通信端末においてメディア通信に採用されている通信メディアを識別し、（５）上記第１の通信端末及び上記第２の通信端末は、複数のネットワークのうちいずれかに所属し、同一のネットワークに所属する通信端末は、採用されている通信メディアも同一であり、（６）上記ネットワーク採用通信メディア情報記憶手段は、上記各ネットワークにおいて採用されている通信メディアに関する情報を記憶し、（７）上記第２の通信メディア識別手段は、上記データ受信手段が、上記第１の通信端末から受信したデータが、上記第１の通信端末から上記第２の通信端末へ発呼するためのＳＩＰのＩＮＶＩＴＥ信号である場合に、そのＩＮＶＩＴＥ信号の内容から上記第２の通信端末が所属するネットワークを識別し、上記ネットワーク採用通信メディア情報記憶手段に記憶された情報から、上記第２の通信端末が所属するネットワークにおいて採用されている通信メディアを検索し、検出した通信メディアを、上記第２の通信端末において採用されている通信メディアと識別し、（８）上記呼制御手段は、上記データ受信手段が、上記第１の通信端末から受信したデータが、上記第１の通信端末から上記第２の通信端末へ発呼するためのＩＮＶＩＴＥ信号である場合に、上記第２の通信メディア識別手段により識別した、上記第２の通信端末において採用されている通信メディアを用いたメディア通信を発呼するためのＩＮＶＩＴＥ信号を、上記第２の通信端末に送信し、（９）上記メディア変換手段は、上記データ受信手段が受信した受信データが、上記第１の通信端末又は上記第２の通信端末の一方から他方に送信された、メディア通信をするためのメディアデータである場合には、上記第１の通信メディア識別手段及び上記第２の通信メディア識別手段が識別した通信メディアに従って、上記メディアデータを、送信先の通信端末において採用されている通信メディアに対応するメディアデータに、変換し、（１０）上記データ送信手段は、上記メディア変換手段によって変換されたメディアデータを、送信先の通信端末に向けて送信することを特徴とする。
【００１１】
第３の本発明のメディア変換プログラムは、コンピュータを、（１）通信端末からデータの受信をするデータ受信手段と、（２）上記データ受信手段が、第１の通信端末から受信したデータが、上記第１の通信端末から第２の通信端末へ発呼するための呼制御信号である場合に、その呼制御信号の内容に基づいて、上記第１の通信端末においてメディア通信に採用されている通信メディアを識別する第１の通信メディア識別手段として機能させ、（３）上記第１の通信端末及び上記第２の通信端末は、複数のネットワークのうちいずれかに所属し、同一のネットワークに所属する通信端末は、採用されている通信メディアも同一であり、（４）上記各ネットワークにおいて採用されている通信メディアに関する情報を記憶するネットワーク採用通信メディア情報記憶手段と、（５）上記データ受信手段が、上記第１の通信端末から受信したデータが、上記第１の通信端末から上記第２の通信端末へ発呼するためのＳＩＰのＩＮＶＩＴＥ信号である場合に、そのＩＮＶＩＴＥ信号の内容から上記第２の通信端末が所属するネットワークを識別し、上記ネットワーク採用通信メディア情報記憶手段に記憶された情報から、上記第２の通信端末が所属するネットワークにおいて採用されている通信メディアを検索し、検出した通信メディアを、上記第２の通信端末において採用されている通信メディアと識別する第２の通信メディア識別手段と、（６）上記データ受信手段が、上記第１の通信端末から受信したデータが、上記第１の通信端末から上記第２の通信端末へ発呼するためのＩＮＶＩＴＥ信号である場合に、上記第２の通信メディア識別手段により識別した、上記第２の通信端末において採用されている通信メディアを用いたメディア通信を発呼するためのＩＮＶＩＴＥ信号を、上記第２の通信端末に送信する呼制御手段と、（７）上記データ受信手段が受信した受信データが、上記第１の通信端末又は上記第２の通信端末の一方から他方に送信された、メディア通信をするためのメディアデータである場合には、上記第１の通信メディア識別手段及び上記第２の通信メディア識別手段が識別した通信メディアに従って、上記メディアデータを、送信先の通信端末において採用されている通信メディアに対応するメディアデータに、変換するメディア変換手段と、（８）上記メディア変換手段によって変換されたメディアデータを、送信先の通信端末に向けて送信するデータ送信手段として、さらに機能させることを特徴とする。
【００１２】
第４の本発明の呼制御装置は、（１）第１の通信端末から受信したデータが、上記第１の通信端末から第２の通信端末へ発呼するための呼制御信号である場合に、その呼制御信号の内容に基づいて、上記第１の通信端末においてメディア通信に採用されている通信メディアを識別する第１の通信メディア識別手段を有し、（２）上記第１の通信端末及び上記第２の通信端末は、複数のネットワークのうちいずれかに所属し、同一のネットワークに所属する通信端末は、採用されている通信メディアも同一であり、（３）上記各ネットワークにおいて採用されている通信メディアに関する情報を記憶するネットワーク採用通信メディア情報記憶手段と、（４）上記第１の通信端末から受信したデータが、上記第１の通信端末から上記第２の通信端末へ発呼するためのＳＩＰのＩＮＶＩＴＥ信号である場合に、そのＩＮＶＩＴＥ信号の内容から上記第２の通信端末が所属するネットワークを識別し、上記ネットワーク採用通信メディア情報記憶手段に記憶された情報から、上記第２の通信端末が所属するネットワークにおいて採用されている通信メディアを検索し、検出した通信メディアを、上記第２の通信端末において採用されている通信メディアと識別する第２の通信メディア識別手段と、（５）上記第１の通信端末から受信したデータが、上記第１の通信端末から上記第２の通信端末へ発呼するためのＩＮＶＩＴＥ信号である場合に、上記第２の通信メディア識別手段により識別した、上記第２の通信端末において採用されている通信メディアを用いたメディア通信を発呼するためのＩＮＶＩＴＥ信号を、上記第２の通信端末に送信する呼制御手段と、（６）上記第１の通信メディア識別手段及び上記第２の通信メディア識別手段の識別結果を、外部のメディア変換装置に与える通信メディア情報送信手段とをさらに有することを特徴とする。
【発明の効果】
【００１３】
本発明によれば、メディア通信をする通信端末の中間において、メディアデータの送信元及び宛先の通信端末に採用されている、通信メディアを識別して、必要に応じてメディア変換し、通信端末同士を相互接続させることができる。
【図面の簡単な説明】
【００１４】
【図１】第１の実施形態のメディア変換装置１０の内部の機能的構成を示すブロック図である。
【図２】第１の実施形態に関係する各種装置の接続関係などの説明図である。
【図３】第１の実施形態のメディア情報記憶部に記憶されている情報について示した説明図である。
【図４】第１の実施形態のメディア変換装置における受信したパケットのメディア変換の動作の例について説明したフローチャートである。
【図５】第１の実施形態の呼制御装置における、メディア情報記憶部の更新の動作について説明したシーケンス図である。
【図６】第２の実施形態のメディア変換装置の内部の機能的構成を示すブロック図である。
【図７】第２の実施形態の符号化形式情報記憶部に記憶された情報について示した説明図である。
【図８】第２の実施形態の呼制御装置における、メディア情報記憶部の更新の動作について説明したシーケンス図である。
【発明を実施するための形態】
【００１５】
（Ａ）第１の実施形態
以下、本発明によるメディア変換システム、メディア変換方法、メディア変換プログラム及び呼制御装置の第１の実施形態を、図面を参照しながら詳述する。
【００１６】
（Ａ−１）第１の実施形態の構成
図２は、この実施形態に関係する各種装置の接続関係などの説明図である。
【００１７】
ＩＰネットワーク２０は、ＩＰ通信のためのネットワークである。例えば、ここでは、２つのＩＰネットワーク２０−１、２０−２があり、それぞれ異なる通信事業社が、ＩＰ電話やインターネット接続等のサービスを顧客に提供するために敷設した、ＴＣＰ／ＩＰを採用したネットワークであるものとする。
【００１８】
メディア変換システム１０は、ＩＰネットワーク２０−１とＩＰネットワーク２０−２の境界に配置され、ＩＰネットワーク２０−１とＩＰネットワーク２０−２の間の通信で必要なメディア変換などを行うものである。
【００１９】
ＩＰ電話端末３０は、ＩＰ電話を利用するための電話端末であり、ＩＰネットワーク２０−１又はＩＰネットワーク２０−２に接続される。ここでは、２台のＩＰ電話端末３０−１、ＩＰ電話端末３０−２があり、ＩＰ電話端末３０−１はＩＰネットワーク２０−１に接続し、ＩＰ電話端末３０−２はＩＰネットワーク２０−２に接続するものとする。
【００２０】
ＰＣ端末４０は、ＷＥＢブラウジングやデータ転送などを行うための端末であり、ＩＰネットワーク２０−１又はＩＰネットワーク２０−２に接続される。ここでは、２台のＰＣ端末４０−１、ＰＣ端末４０−２があり、ＰＣ端末４０−１はＩＰネットワーク２０−１に接続し、ＰＣ端末４０−２はＩＰネットワーク２０−２に接続するものとする。
【００２１】
制御信号パケット５０は、例えば、ＳＩＰ（Ｓｅｓｓｉｏｎ  Ｉｎｉｔｉａｔｉｏｎ  Ｐｒｏｔｏｃｏｌ、ＩＥＴＦ  ＲＦＣ３２６１）やＨ．３２３（ＩＴＵ−Ｔ  Ｈ．３２３）などに基づくメディア通信の制御を行う制御プロトコルのパケットであり、ここでは、制御信号パケット５０は、例えば、音声等のメディアを、ＩＰ電話端末３０間で通信するチャネル接続をするために使用されるＳＩＰの制御信号であるものとする。
【００２２】
メディアデータ信号パケット６０は、端末間でメディア通信をするためのメディアデータを有するパケットであり、例えば、符号化形式ごとに規定されるパケット形式に準拠したデータ信号である。ここでは、メディアデータ信号パケット６０は、例えば、ＲＴＰ（Ｒｅａｌ-ｔｉｍｅ  Ｔｒａｎｓｐｏｒｔ  Ｐｒｏｔｏｃｏｌ、ＲＦＣ３５５１）の標準に準拠したパケットとする。又、ここでは、ＩＰネットワーク２０−１において、メディア変換システム１０と、ＩＰ電話端末３０−１との通信に用いられる信号は、メディアデータ信号パケット６０−１と表すものとする。又、ＩＰネットワーク２０−２において、メディア変換システム１０と、ＩＰ電話端末３０−２との通信に用いられる信号は、メディアデータ信号パケット６０−２と表すものとする。又、メディアデータ信号パケット６０−１とメディアデータ信号パケット６０−２は異なる形式のものであり、メディア変換システム１０は、ＩＰネットワーク２０−１と、ＩＰネットワーク２０−２との間の通信において、メディアデータ信号パケット６０−１とメディアデータ信号パケット６０−２を双方向に変換するものとする。
【００２３】
非メディアデータ信号パケット７０は、メディア変換システム１０を経由して、ＩＰネットワーク２０−１とＩＰネットワーク２０−２との間で送受信されるパケットであって、上述の制御信号パケット５０及びメディアデータ信号パケット６０のいずれにも該当しないパケットであるものとする。非メディアデータ信号パケット７０としては、例えば、ＰＣ端末４０−１とＰＣ端末４０−２との間の、呼制御装置１２によって制御されないファイル転送によるパケットなどが挙げられる。
【００２４】
図１は、メディア変換システム１０の機能的構成を示すブロック図である。
【００２５】
メディア変換システム１０は、メディア変換装置１１、呼制御装置１２を有している。
【００２６】
上述の図１においては、メディア変換システムは、メディア変換装置と呼制御装置の２つの装置を有する構成となっているが、メディア変換システム１０は、ＣＰＵ、ＲＯＭ、ＲＡＭ、ＥＥＰＲＯＭ、ハードディスクなどのプログラムの実行構成、及び、他の装置と通信をするためのインターフェースを有する装置（１台に限定されず、複数台を分散処理し得るようにしたものであっても良い。）に、実施形態のメディア変換プログラムをインストールすることにより構築したものであっても良く、機能的には上述の図１によって表すことができる。
【００２７】
呼制御装置１２は、ＩＰネットワーク２０において端末間の呼制御を行うものであり、ここではＩＰ電話端末３０間の呼制御を行うものであるものとする。
【００２８】
呼制御装置１２は、メディア情報記憶部１２１を有している。
【００２９】
図３は、メディア情報記憶部１２１に記憶されている情報について示した説明図である。
【００３０】
メディア情報記憶部１２１は、メディア変換システム１０において、メディア変換制御のために用いる情報を記憶する記憶手段であり、セッション識別子１０１、セッション識別情報１０２、宛先符号化形式１０３、送信元符号化形式１０４を有している。
【００３１】
セッション識別子１０１は、メディアデータ信号パケット６０によるメディア通信を識別するための識別子であり、例えば、１つの音声通話を識別する識別する場合において、同じ識別子を持つ情報は、同じ音声通話に関係するセッションであることを示す。例えば、ＩＰ電話端末３０間で１つのセッションについて双方向の通信がある場合、メディア情報記憶部１２１においては片方向の通信について１つの情報が記憶され、上述の図３に示すように、同一セッションに関する２つの情報には、共通するセッション識別子１０１を付与しても良い。
【００３２】
セッション識別情報１０２は、メディアデータ信号パケット６０によるメディア通信における、セッションの宛先側を識別するためのものであり、宛先ＩＰアドレス１０２ａ、宛先ポート番号１０２ｂの情報を有している。宛先ＩＰアドレス１０２ａは、宛先のＩＰアドレスを示すものであり、宛先ポート番号１０２ｂは、セッションの宛先と通信するために採用するポート番号（例えば、ＩＰ／ＵＤＰ層におけるポート番号）を示すものである。
【００３３】
宛先符号化形式１０３は、メディアデータ信号パケット６０によるメディア通信において、セッションを流れるメディアパケットの宛先の符号化形式を示すものである。送信元符号化形式１０４は、セッションを流れるメディアパケットの送信元の符号化形式を示すものである。宛先符号化形式１０３、送信元符号化形式１０４は、例えば、Ｇ．７２２．１（ＩＴＵ−Ｔ  Ｇ．７２２．１）、Ｇ．７１１μ−ｌａｗ（ＩＴＵ−Ｔ  Ｇ．７１１）などの符号化形式の種類を示す情報を有しても良い。
【００３４】
呼制御装置１２は、ＩＰ電話端末３０から、制御信号パケット５０が与えられると、その内容を分析して、メディア情報記憶部１２１の内容を更新する。
【００３５】
例えば、呼制御装置１２がＳＩＰに対応したものであった場合には、ＳＩＰにおいてセッションの確立を要求するＩＮＶＩＴＥメッセージなどの、メッセージ（シグナリング）の内容を分析して、ＩＰ電話端末３０が採用する通信メディアを識別し、セッション識別子１０１、セッション識別情報１０２、宛先符号化形式１０３、送信元符号化形式１０４の内容を更新しても良い。例えば、ＩＰ電話端末３０−１から、制御信号パケット５０−１としてＩＮＶＩＴＥメッセージを受け取った場合は、ＩＮＶＩＴＥメッセージの内容から、ＩＰ電話端末３０−１のＩＰアドレス、採用する通信メディアに関する情報を取得しても良い。又、呼制御装置１２から、ＩＰ電話端末３０−２に、制御信号パケット５０−２としてＩＰ電話端末３０−２が採用しない通信メディアを設定したＩＮＶＩＴＥメッセージを送信した場合には、ＩＰ電話端末３０−２からは、通信をすることができない旨のメッセージ（例えば、「Ｎｏｔ  Ａｃｃｅｐｔａｂｌｅ」）と共にＩＰ電話端末３０−２が採用する通信メディアに関する情報が、呼制御装置１２に返答され、呼制御装置１２は、返答された情報に基づいて、ＩＰ電話端末３０−２の採用する通信メディアに関する情報を取得しても良い。又、ＩＰ電話端末３０が通信に採用する通信ポート番号については、ＩＮＶＩＴＥメッセージに対する、応答のメッセージ（例えば、「ＯＫ」）の内容を分析して識別しても良い。
【００３６】
又、呼制御装置１２は、メディア情報記憶部１２１の内容を更新すると、その更新後の内容を、メディア変換装置１１に与える。
【００３７】
又、呼制御装置１２は、呼制御装置１２の情報を追加する際に、１つのセッションについて片方向のみの情報を追加しても良いし、双方向の情報を同時に追加しても良い。例えば、ＩＰ電話端末３０−１を宛先ＩＰアドレス１０２ａとする情報を追加する際に、通信相手であるＩＰ電話端末３０−２を宛先ＩＰアドレス１０２ａとする情報も同時に追加しても良い。又、１つのセッションについて片方向のみの情報を追加した後に、同一のセッション識別子１０１を用いて、他方のＩＰ電話端末３０から制御信号パケット５０が与えられた場合は、既に登録されている情報の送信元符号化形式１０４の内容を、宛先符号化形式１０３として適用し、メディア情報記憶部１２１に情報を追加しても良い。
【００３８】
メディア変換装置１１は、メディア変換システム１０において、受信したメディアデータ信号パケット６０を必要に応じて変換して転送先へ転送するものであり、制御部１１１、パケットスイッチ部１１２、パケット入出力部１１３、メディア変換部１１４を有している。
【００３９】
パケットスイッチ部１１２は、メディア変換装置１１内の各部間でパケットを転送する機能を担っている。
【００４０】
制御部１１１は、メディア変換装置１１の各部の動作を制御する機能を担っている。又、制御部１１１は、呼制御装置１２から、メディア情報記憶部１２１に記憶された情報が与えられると、その情報を、パケット入出力部１１３、メディア変換部１１４に転送する。
【００４１】
パケット入出力部１１３は、メディア変換装置１１において、ＩＰネットワーク２０とのパケット送受信機能を担っている。ここでは、メディア変換装置１１には、２つのパケット入出力部１１３−１、１１３−２が配置されており、パケット入出力部１１３−１はＩＰネットワーク２０−１に接続し、パケット入出力部１１３−２はＩＰネットワーク２０−２と接続しているものとする。なお、メディア変換装置１１が、３つ以上のＩＰネットワーク２０と接続する場合には、メディア変換装置１１は、ＩＰネットワーク２０の数分パケット入出力部１１３を有しても良い。又、１つのパケット入出力部１１３について、複数のＩＰネットワーク２０を収容する構成としても良い。
【００４２】
又、パケット入出力部１１３は、受信したパケットの種類を識別し、その種類によって、メディア変換装置１１内の各部に転送する。パケット入出力部１１３は、受信したパケットについてメディアデータ信号パケット６０、非メディアデータ信号パケット７０のいずれに該当するかを識別する。パケット入出力部１１３における、受信したパケットの種類の識別は、例えば、予め制御部１１１からメディア情報記憶部１２１の情報を取得しておき、受信したパケットがセッション識別情報１０２と一致するものであれば、メディアデータ信号パケット６０に該当すると識別しても良い。又、受信したパケットが、メディアデータ信号パケット６０に該当しないパケットである場合には、非メディアデータ信号パケット７０に該当すると識別しても良い。
【００４３】
パケット入出力部１１３は、受信したパケットが、メディアデータ信号パケット６０であった場合には、受信したパケットを、パケットスイッチ部１１２を介してメディア変換部１１４に転送する。受信したパケットが、非メディアデータ信号パケット７０であった場合には、受信したパケットを、パケットスイッチ部１１２を介して転送先のＩＰネットワーク２０に接続されているパケット入出力部１１３に転送し、転送先のパケット入出力部１１３では、転送されたパケットをそのまま転送先のＩＰネットワーク２０に向けて送出する。例えば、パケット入出力部１１３−１が、ＩＰネットワーク２０−１から受信したパケットが、ＩＰネットワーク２０−２へ向けて送出されたパケットであり、非メディアデータ信号パケット７０であった場合には、受信パケットをパケット入出力部１１３−２へ転送する。そして、パケット入出力部１１３−２では、転送されてきたパケットをＩＰネットワーク２０−２へ向けて送出する。
【００４４】
メディア変換部１１４は、パケット入出力部１１３から転送されてきたパケットについて、呼制御装置１２から制御部１１１を経由して取得した、メディア情報記憶部１２１に記憶された情報（上述の図３参照）に従って、当該パケットの転送先のＩＰネットワーク２０に適合するメディアの形式に変換し、当該パケットの転送先のＩＰネットワーク２０に接続しているパケット入出力部１１３に転送するものである。
【００４５】
メディア変換部１１４は、転送されてきたパケットが、セッション識別情報１０２のいずれかに該当するかを確認し、該当する宛先符号化形式１０３、及び、送信元符号化形式１０４が示す形式に従ってメディア変換を行い、宛先のＩＰネットワーク２０に接続するパケット入出力部１１３に転送する。
【００４６】
（Ａ−２）第１の実施形態の動作
次に、以上のような構成を有する第１の実施形態のメディア変換装置１０における受信したパケットのメディア変換の動作を説明する。
【００４７】
ここでは、ＩＰネットワーク２０−１のＩＰ電話端末３０−１から、ＩＰネットワーク２０−２のＩＰ電話端末３０−２へ、メディア変換システム１０を経由してメディア通信を開始する場合を例として説明する。
【００４８】
又、ここでは、ＩＰ電話端末３０−１のＩＰアドレスは１０．０．０．１／２４であり、採用している通信メディアはＧ．７１１μ−ｌａｗ、メディア通信に採用している通信ポートは１０００１とする。又、ＩＰ電話端末３０−２のＩＰアドレスは２０．０．０．１／２４であり、採用している通信メディアはＧ．７２２．１、メディア通信に採用している通信ポートは２０００１とする。又、呼制御装置１２、ＩＰ電話端末３０で使用される呼制御プロトコルはＳＩＰであるものとする。又、初期状態として、メディア情報記憶部１２１には一件も情報が記憶されていないものとする。
【００４９】
（Ａ−２−１）呼制御装置における呼制御及びメディア情報の更新
図５は、ＩＰ電話端末３０−１からＩＰ電話端末３０−２へ発呼があった場合の、呼制御装置１２における、メディア情報記憶部１２１の更新の動作について説明したシーケンス図である。
【００５０】
まず、ＩＰ電話端末３０−１から呼制御装置１２に、制御信号パケット５０−１として、ＩＮＶＩＴＥメッセージが与えられる。ここでは、制御信号パケット５０−１には、ＩＰ電話端末３０−１が採用する通信条件として、通信メディア（Ｇ．７１１μ−ｌａｗ）、ポート番号（１０００１）の情報が含まれる（Ｓ３００１）。
【００５１】
次に、呼制御装置１２において、上述のステップＳ３００１で、ＩＰネットワーク２０−１から与えられた制御信号パケット５０−１のＩＮＶＩＴＥメッセージの内容から、ＩＰ電話端末３０−１のＩＰアドレス、メディア通信に採用するポート番号の情報が取得され、セッション識別情報１０２（ＩＰアドレス１０２ａ、宛先ポート番号１０２ｂ）に一致する情報が検索されるが、ここでは、上述の通り、メディア情報記憶部１２１の情報は一件も情報を記憶していないので、該当する情報は検出できない（Ｓ３００２）。
【００５２】
なお、上述のステップＳ３００２において、メディア情報記憶部１２１に、セッション識別情報１０２（ＩＰアドレス１０２ａ、宛先ポート番号１０２ｂ）に一致する情報があり、ＩＰ電話端末３０−２が採用する通信メディア（宛先符号化形式１０３など）に関する情報が取得できた場合には、後述するステップＳ３００３〜Ｓ３００５、Ｓ３００８、Ｓ３００９は省略して処理を行っても良い。
【００５３】
次に、上述のステップＳ３００２において、ＩＰ電話端末３０−１に該当する情報がメディア情報記憶部１２１に存在しない場合、ステップＳ３００１において、ＩＰ電話端末３０−１から与えられた制御信号パケット５０−１と同様のＩＮＶＩＴＥメッセージ（通信メディア：Ｇ．７１１μ−ｌａｗ、ポート番号：１０００１、の情報を含む）が、制御信号パケット５０−２として、呼制御装置１２から、ＩＰ電話端末３０−２に与えられる（Ｓ３００３）。
【００５４】
次に、制御信号パケット５０−２が与えられると、ＩＰ電話端末３０−２においては、採用する通信メディアは、Ｇ．７１１μ−ｌａｗではなく、Ｇ．７２２．１であるので、ＩＰ電話端末３０−１との通信は不可である旨のメッセージ（Ｎｏｔ  Ａｃｃｅｐｔａｂｌｅ）が、制御信号パケット５０−２として、呼制御装置１２に返答される。その際、当該制御信号パケット５０−２は、ＩＰ電話端末３０−２が採用する通信メディアは、Ｇ．７２２．１である旨の情報も併せて有するものとする（Ｓ３００４）。
【００５５】
そして、呼制御装置１２においては、上述のステップＳ３００１における制御信号パケット５０−１と、上述のステップＳ３００４における制御信号パケット５０−２とが与えられると、メディア情報記憶部１２１の情報の更新が行われる。
【００５６】
ここでは、上述のステップＳ３００１における制御信号パケット５０−１の内容から、ＩＰ電話端末３０−１のＩＰアドレス（１０．０．０．１）、通信に採用する通信メディア（Ｇ．７１１μ−ｌａｗ）及びポート番号（１０００１）、の情報を取得することができる。又、上述のステップＳ３００４における制御信号パケット５０−２の内容から、ＩＰ電話端末３０−２が通信に採用する通信メディア（Ｇ．７２２．１）の情報を取得することができる。又、ここでは、呼制御装置１２により、セッション識別子１０１として１が付与されたものとする。
【００５７】
上述のように、呼制御装置１２では、ＩＰ電話端末３０−１とＩＰ電話端末３０−２がメディア通信する際の条件について情報を取得され、上述の情報に基づいて、ＩＰ電話端末３０−２へパケットを送信する際のメディア変換に必要な情報として、（セッション識別子１０１：「１」、宛先ＩＰアドレス１０２ａ：「なし」、宛先ポート番号１０２ｂ：「なし」、宛先符号化形式１０３：「Ｇ．７２２．１」、送信元符号化形式１０４：「Ｇ．７１１μ−ｌａｗ」）という情報が生成され、メディア情報記憶部１２１に追加して記憶される。そして、同様に、呼制御装置１２において、ＩＰ電話端末３０−１へパケットを送信する際のメディア変換に必要な情報として、（セッション識別子１０１：「１」、宛先ＩＰアドレス１０２ａ：「１０．０．０．１」、宛先ポート番号１０２ｂ：「１０００１」、宛先符号化形式１０３：「Ｇ．７１１μ−ｌａｗ」、送信元符号化形式１０４：「Ｇ．７２２．１」）という情報が生成され、メディア情報記憶部１２１に追加して記憶される。なお、上述の、ＩＰ電話端末３０−２へパケットを送信する際のメディア変換に必要な情報において、宛先ＩＰアドレス１０２ａ及び宛先ポート番号１０２ｂは、後述するステップＳ３００８において更新される（Ｓ３００５）。
【００５８】
次に、呼制御装置１２において、メディア情報記憶部１２１の情報から、ＩＰ電話端末３０−２が通信に採用する通信メディア（Ｇ．７２２．１）の情報が取得され、それらの情報が設定されたＩＮＶＩＴＥメッセージが、制御信号パケット５０−２として、呼制御装置１２から、ＩＰ電話端末３０−２に与えられる（Ｓ３００６）。
【００５９】
次に、上述のステップＳ３００６における制御信号パケット５０−２が、ＩＰ電話端末３０−２に与えられると、ＩＰ電話端末３０−２では、ＩＰ電話端末３０−２が採用する通信メディアと、与えられたＩＮＶＩＴＥメッセージにおいて採用する通信メディアとして設定された通信メディアとが一致するため、応答のメッセージ（ＯＫ）と共に、ＩＰ電話端末３０−２のＩＰアドレスの情報（２０．０．０．１）及びメディア通信に採用する通信ポート番号の情報（２０００１）が、制御信号パケット５０−２として、ＩＰ電話端末３０−２から、呼制御装置１２に与えられる（Ｓ３００７）。
【００６０】
そして、上述のステップＳ３００７において制御信号パケット５０−２（ＯＫのメッセージ）が、ＩＰ電話端末３０−２から、呼制御装置１２に与えられると、呼制御装置１２において、メディア情報記憶部１２１のうち、セッション情報識別子１０１：「１」かつ宛先ＩＰアドレス１０２ａ：「なし」の情報へ、宛先ＩＰアドレス１０２ａが与えられた情報（２０．０．０．１）に、宛先ポート番号１０２ｂの情報が与えられた情報（２０００１）に更新され、上述の更新後のメディア情報記憶部１２１の内容は図３に示す通りのものとなる（Ｓ３００８）。
【００６１】
そして、呼制御装置１２から、メディア情報記憶部１２１に記憶された情報が、メディア変換装置１１の制御部１１１に与えられ、さらに、制御部１１１から、パケット入出力部１１３及びメディア変換部１１４に与えられる（Ｓ３００９）。
【００６２】
そして、呼制御装置１２から、ＩＰ電話端末３０−１へ、応答のメッセージ（ＯＫ）が、制御信号パケット５０−１として与えられ（Ｓ３０１０）、さらに、ＩＰ電話端末３０−１から、呼制御装置１２を経由して、ＩＰ電話端末３０−２に通信確認のためのメッセージ（ＡＣＫ）が与えられ、その後ＩＰ電話端末３０−１とＩＰ電話端末３０−２との間のメディア通信が、メディア変換装置１１を経由して行われる（Ｓ３０１１、Ｓ３０１２）。
【００６３】
（Ａ−２−２）メディア変換装置におけるメディア変換
次に、メディア変換装置１１における、メディアデータ信号パケット６０を変換する動作について説明する。
【００６４】
図４は、メディア変換装置１０における受信したパケットのメディア変換の動作の例について説明したフローチャートである。
【００６５】
ここでは、上述の図５のステップＳ３００９において、呼制御装置１２から、上述の図３に示すメディア情報記憶部１２１の情報が、パケット入出力部１１３−１、１１３−２、メディア変換部１１４に設定され、ＩＰ電話端末３０−１からＩＰ電話端末３０−２へ向けて送出されたメディアデータ信号パケット６０−１が、メディア変換装置１１に与えられた場合の動作を例として説明する。
【００６６】
まず、パケット入出力部１１３−１において、ＩＰ電話端末３０−１から、ＩＰ電話端末３０−１へ向けて送出されたパケットが受信される（Ｓ１０００）。
【００６７】
次に、受信したパケットが、メディアデータ信号パケット６０−１、非メディアデータ信号パケット７０のいずれに該当するか判定される。受信したパケットの種類の判断は、上述の、図５のステップＳ３００９において与えられた上述の図３に示すメディア情報記憶部１２１の情報に基づいて判断される。受信したパケットが、セッション識別情報１０２に一致するパケットであれば、メディアデータ信号パケット６０−１と判断され、そうでない場合は非メディアデータ信号パケット７０と判断される。メディアデータ信号パケット６０−１と判定された場合にはメディア変換部１１４に転送され、非メディアデータ信号パケット７０と判定された場合にはパケット入出力部１１３−２に転送される（Ｓ１００１）。
【００６８】
上述のステップＳ１００１において、パケット入出力部１１３−１の受信したパケットが、メディアデータ信号パケット６０−１と判定され、メディア変換部１１４に転送されると、メディア変換部１１４において、メディア情報記憶部１２１の情報に従ってメディア変換される（Ｓ１００３）。
【００６９】
ここでは、メディア情報記憶部１２１には、上述の図３に示すように、（セッション識別子１０１：「１」、宛先ＩＰアドレス１０２ａ：「２０．０．０．１」、宛先ポート番号１０２ｂ：「２０００１」、宛先符号化形式１０３：「Ｇ．７２２．１」、送信元符号化形式１０４：「Ｇ．７１１μ−ｌａｗ」）という情報が記憶されている。そして、メディアデータ信号パケット６０−１の宛先のＩＰアドレスは２０．０．０．１で、宛先ポート番号が２０００１であったとすると、当該メディアデータ信号パケット６０−１は、上述の情報のセッション識別情報１０２（宛先ＩＰアドレス１０２ａ、宛先ポート番号１０２ｂ）と一致するパケットであるので、その宛先符号化形式１０３、送信元符号化形式１０４の情報にしたがって、Ｇ．７１１μ−ｌａｗから、Ｇ．７２２．１にメディア変換される。
【００７０】
次に、メディア変換部１１４において変換されたパケットが、メディアデータ信号パケット６０−２として、メディア変換部１１４からパケット入出力部１１３−２に与えられ（Ｓ１００４）、入出力部１３−２からＩＰ電話端末３０−２に向けて送出される（Ｓ１００５）。
【００７１】
上述のステップＳ１００１において、パケット入出力部１１３−１から受信されたパケットが、非メディアデータ信号パケット７０と判定され、がパケット入出力部１１３−２に転送されると、そのまま、非メディアデータ信号パケット７０が、パケット入出力部１１３−２からＩＰ電話端末３０−２に向けて送出される（Ｓ１００５）。
【００７２】
（Ａ−３）第１の実施形態の効果
第１の実施形態によれば、以下のような効果を奏することができる。
【００７３】
メディア変換システム１０は、呼制御装置１２により、ＩＰ電話端末３０から与えられた制御信号パケット５０の内容に基づいて、ＩＰ電話端末３０が採用する通信メディアの情報を識別し、上述の図３に示すメディア情報記憶部１２１の情報を更新して、メディア変換装置１１にその情報を与える。そして、メディア変換装置１１では、呼制御装置１２から与えられた情報にしたがって、ＩＰ電話端末３０間のメディアデータ信号パケット６０を変換する。よって、複数のＩＰ電話端末３０で採用する通信メディアが異なっていても、その間にメディア変換システム１０を配置することにより、メディア変換システム１０が、各ＩＰ電話端末３０が採用する通信メディアを識別してメディア変換し、相互にメディア通信させることが可能となる。
【００７４】
また、メディア変換装置１１のパケット入出力部１１３においては、受信したパケットが、メディア変換対象のパケット（メディアデータ信号パケット６０）であるか否かを識別し、メディア変換対象のパケット（メディアデータ信号パケット６０）のみメディア変換部１１４へ配送するため、メディア変換対象のパケット（メディア変換対象のパケット）の装置内転送遅延を抑えるという効果を奏する。
【００７５】
（Ｂ）第２の実施形態
以下、本発明によるメディア変換システム、メディア変換方法、メディア変換プログラム及び呼制御装置の第２の実施形態を、図面を参照しながら詳述する。
【００７６】
（Ｂ−１）第２の実施形態の構成
この実施形態に関係する各種装置の接続関係は、第１の実施形態とほぼ同様であり、図２により示すことができるので、詳しい説明を省略する。なお、この実施形態のメディア変換システムは、メディア変換システム１０Ａと表すものとする。
【００７７】
図６は、メディア変換システム１０Ａの機能的構成を示すブロック図であり、上述した図１との同一、対応部分には同一、対応符号を付して示している。
【００７８】
第２の実施形態のメディア変換システム１０Ａは、メディア変換装置１１、呼制御装置１２Ａを有している。
【００７９】
メディア変換装置１１は、第１の実施形態と同様のものであるのでその説明を省略する。
【００８０】
呼制御装置１２Ａは、符号化形式情報記憶部１２２をさらに有し、符号化形式情報記憶部１２２の情報を考慮して、メディア情報記憶部１２１の情報を更新する点において、第１の実施形態と異なっている。
【００８１】
図７は、符号化形式情報記憶部１２２に記憶された情報について示した説明図である。
【００８２】
符号化形式情報記憶部１２２は、識別子２０１、ＩＰネットワークアドレス２０２、符号化形式２０３の情報を有している。なお、符号化形式情報記憶部１２２に記憶される情報は、ネットワーク保守者などにより、ＩＰネットワークの構築状況に応じて、予め設定しても良い。
【００８３】
識別子２０１は、符号化形式情報記憶部１２２における、各情報を識別するための識別子である。
【００８４】
ＩＰネットワークアドレス２０２は、１つ以上のＩＰネットワークを識別するための識別情報であり、ＩＰプロトコルで定義されるネットワークアドレス形式で表現されるものとする。
【００８５】
符号化形式２０３は、ＩＰネットワークアドレス２０２に接続される端末が許容するメディアデータ信号パケット６０の符号化形式を示すものである。
【００８６】
呼制御装置１２Ａは、パケット入出力部１１３から、制御信号パケット５０が与えられると、制御信号パケット５０の内容を分析して、上述の図３におけるセッション識別情報１０２（宛先ＩＰアドレス１０２ａ、宛先ポート番号１０２ｂ）に相当する情報を抽出する。そして、呼制御装置１２Ａで決定した制御信号パケット５０の次の宛先（着信端末または呼制御装置）のＩＰアドレスを包含するＩＰネットワークアドレス２０２を検索し、該当するＩＰネットワークアドレス２０２が存在する場合には、対応する符号化形式２０３の情報を宛先符号化形式１０３としてメディア情報記憶部１２１の情報を更新する。呼制御装置１２Ａにおいて、メディア情報記憶部１２１の情報更新の際のその他の処理は、第１の実施形態の呼制御装置１２と同様であるので説明を省略する。
【００８７】
（Ｂ−２）第２の実施形態の動作
次に、以上のような構成を有する第２の実施形態のメディア変換システム１０Ａの呼制御装置１２Ａにおけるメディア情報記憶部１２１の更新の動作について説明する。なお、メディア変換装置１１における、メディアデータ信号パケット６０を変換する動作は、第１の実施形態における上述の図４と同様のものであるのでその説明を省略する。
【００８８】
ここでは、ＩＰネットワーク２０−１のＩＰ電話端末３０−１から、ＩＰネットワーク２０−２のＩＰ電話端末３０−２へ、メディア変換システム１０Ａを経由してメディア通信を開始する場合を例として説明する。
【００８９】
又、ここでは、ＩＰ電話端末３０−１のＩＰアドレスは１０．０．０．１であり、採用している通信メディアはＧ．７１１μ−ｌａｗ、メディア通信に採用している通信ポートは１０００１とする。又、ＩＰ電話端末３０−２のＩＰアドレスは２０．０．０．１であり、採用している通信メディアはＧ．７２２．１、メディア通信に採用している通信ポートは２０００１とする。又、呼制御装置１２、ＩＰ電話端末３０で使用される呼制御プロトコルはＳＩＰであるものとする。又、初期状態として、メディア情報記憶部１２１には一件も情報が記憶されていないものとする。又、符号化形式情報記憶部１２２には、（識別子２０１：「１」、ＩＰネットワークアドレス２０２：「１０．０．０．０／２４」、符号化形式２０３：「Ｇ．７１１μ−ｌａｗ」）、（識別子２０１：「２」、ＩＰネットワークアドレス２０２：「２０．０．０．０／２４」、符号化形式２０３：「Ｇ．７２２．１」）という２件の情報が記憶されているものとする。
【００９０】
図８は、ＩＰ電話端末３０−１からＩＰ電話端末３０−２へ発呼があった場合の、呼制御装置１２Ａにおける、メディア情報記憶部１２１の更新の動作について説明したシーケンス図である。
【００９１】
まず、ＩＰ電話端末３０−１から呼制御装置１２Ａに、制御信号パケット５０−１として、ＩＮＶＩＴＥメッセージが与えられる。ここでは、制御信号パケット５０−１には、ＩＰ電話端末３０−１が採用する通信条件として、通信メディア（Ｇ．７１１μ−ｌａｗ）、ポート番号（１０００１）の情報が含まれているものとする。（Ｓ４００１）。
【００９２】
次に、呼制御装置１２Ａにおいて、上述のステップＳ４００１で、ＩＰネットワーク２０−１から与えられた制御信号パケット５０−１のＩＮＶＩＴＥメッセージの内容から、ＩＰ電話端末３０−１のＩＰアドレス、メディア通信に採用するポート番号の情報が取得され、セッション識別情報１０２（ＩＰアドレス１０２ａ、宛先ポート番号１０２ｂ）に一致する情報が検索されるが、ここでは、上述の通り、メディア情報記憶部１２１の情報は一件も情報を記憶していないので、該当する情報は検出できない（Ｓ４００２）。
【００９３】
なお、上述のステップＳ４００２において、メディア情報記憶部１２１に、セッション識別情報１０２（ＩＰアドレス１０２ａ、宛先ポート番号１０２ｂ）に一致する情報があり、ＩＰ電話端末３０−２が採用する通信メディア（宛先符号化形式１０３など）が取得できた場合には、後述するステップＳ４００３、Ｓ４００６、Ｓ４００７は省略して処理を行っても良い。
【００９４】
次に、上述のステップＳ４００２において、ＩＰ電話端末３０−１に該当する情報がメディア情報記憶部１２１に存在しない場合、呼制御装置１２Ａにおいて、上述のステップＳ４００１で受信した制御信号パケット５０−１の内容と、符号化形式情報記憶部１２２の情報とに基づいて、ＩＰ電話端末３０−１、ＩＰ電話端末３０−２が通信に採用する通信メディアに関する条件が識別され、メディア情報記憶部１２１の情報が更新される。
【００９５】
ここでは、上述のステップＳ４００１において与えられた制御信号パケット５０−１の内容から、ＩＰ電話端末３０−１のＩＰアドレス（１０．０．０．１）、通信に採用する通信メディア（Ｇ．７１１μ−ｌａｗ）及びポート番号（１０００１）、の情報を取得することができる。又、上述のステップＳ４００１において与えられた制御信号パケット５０−１の内容に基づいて、着呼先であるＩＰ電話端末３０−２のＩＰアドレス（２０．０．０．１）が特定され、符号化形式情報記憶部１２２のＩＰネットワークアドレス２０２において、一致する情報が検索される。ここでは、符号化形式情報記憶部１２２に記憶された情報は上述の通り図７のようになっており、ＩＰ電話端末３０−２のＩＰアドレス（２０．０．０．１）は、識別子２０１が１の情報において、ＩＰネットワークアドレス２０２（２０．０．０．０／２４）に包含されるものであるため、その情報の符号化形式２０３（Ｇ．７２２．１）が、ＩＰ電話端末３０−２の採用する通信メディアの形式であると識別される。又、ここでは、呼制御装置１２Ａにより、セッション識別子１０１として１が付与されたものとする。
【００９６】
上述のように、呼制御装置１２では、ＩＰ電話端末３０−１とＩＰ電話端末３０−２が採用するメディア通信する際の条件について情報が取得され、上述の情報に基づいて、ＩＰ電話端末３０−２へパケットを送信する際のメディア変換に必要な情報として、（セッション識別子１０１：「１」、宛先ＩＰアドレス１０２ａ：「２０．０．０．１」、宛先ポート番号１０２ｂ：「なし」、宛先符号化形式１０３：「Ｇ．７２２．１」、送信元符号化形式１０４：「Ｇ．７１１μ−ｌａｗ」）という情報が生成され、メディア情報記憶部１２１に追加して記憶される。そして、同様に、呼制御装置１２において、ＩＰ電話端末３０−１へパケットを送信する際のメディア変換に必要な情報として、（セッション識別子１０１：「１」、宛先ＩＰアドレス１０２ａ：「１０．０．０．１」、宛先ポート番号１０２ｂ：「１０００１」、宛先符号化形式１０３：「Ｇ．７１１μ−ｌａｗ」、送信元符号化形式１０４：「Ｇ．７２２．１」）という情報が生成され、メディア情報記憶部１２１に追加して記憶される。なお、上述の、ＩＰ電話端末３０−２へパケットを送信する際のメディア変換に必要な情報において、宛先ポート番号１０２ｂは、ステップＳ４００６（上述のステップＳ３００８と同様の処理）において更新される（Ｓ４００３）。
【００９７】
以降のステップＳ４００４〜Ｓ４０１０動作は、上述の図５におけるステップＳ３００６〜Ｓ３０１２と同様であるので説明を省略する。
【００９８】
（Ｂ−３）第２の実施形態の効果
第２の実施形態によれば、以下のような効果を奏することができる。
【００９９】
呼制御装置１２Ａの符号化形式情報記憶部１２２において、ネットワーク単位に符号化形式を指定することで、制御信号パケット５０における呼の宛先の端末から情報を取得しなくても、宛先の端末が採用する通信メディアを識別することができる。すなわち、第２の実施形態においては、第１の実施形態の図５におけるステップＳ３００３、Ｓ３００４に相当する処理を省略することができるので、制御信号のシーケンス（処理量）を減らし、メディア変換システム１０における処理遅延を軽減することなどが可能となる。
【０１００】
（Ｃ）他の実施形態
本発明は、上記の各実施形態に限定されるものではなく、以下に例示するような変形実施形態も挙げることができる。
【０１０１】
（Ｃ−１）上記の各実施形態において、メディア変換システムは、ＩＰ電話のパケットについてメディア変換を行うことに適用した例について説明したが、テレビ電話や、テキストによりメッセージ交換をするインスタントメッセージなどの、その他のメディア通信に適用しても良く、適用する通信メディアの種類は限定されないものである。
【０１０２】
（Ｃ−２）上記の各実施形態のメディア情報記憶部１２１においては、ＩＰ電話端末３０が採用する通信メディアに関する情報として宛先符号化形式１０３、送信元符号化形式１０４の情報を有しているが、これに加え、または、これに代えて、通信メディアの仕様に関する他の情報を有して適用しても良く、その情報の種類や数は上述の図３の内容に限定されないものである。通信メディアの仕様に関する他の情報としては、例えば、音声圧縮方式やビットレートに関する情報などが挙げられる。又、ＩＰ電話端末３０がテレビ電話の端末であった場合には画像の仕様に関する情報を有しても良い。
【０１０３】
（Ｃ−３）上記の各実施形態においては、メディア変換装置１０は制御信号パケット５０としてＳＩＰを用いた例について説明したが、制御信号パケット５０は、メディア変換の対象となる通信をする端末が採用する制御信号パケット５０に応じたものであれば良く、ＳＩＰに限られないものである。他の制御信号としては、Ｈ．３２３などが挙げられる。
【０１０４】
又、上記の各実施形態においては、メディア変換システム１０が接続するＩＰネットワーク２０における制御信号パケット５０は全てＳＩＰであるものとして説明したが、ＩＰネットワーク２０ごとに異なる制御信号を採用し、呼制御装置１２が複数の制御信号に対応したものであっても良い。
【０１０５】
（Ｃ−４）上記の各実施形態においては、メディア変換システムは、ＩＰネットワーク２０−１とＩＰネットワーク２０−２の境界に配置され、ＩＰネットワーク２０間を流れるパケットについてメディア変換を行う例について説明したが、複数のＩＰネットワークの間に配置される場合に限定されず、単一のＩＰネットワーク２０内に配置して端末間のメディア通信についてメディア変換を行うことに適用しても良い。
【０１０６】
（Ｃ−５）第２の実施形態において、呼制御装置１２Ａの符号化形式情報記憶部１２２では、上述の図７の通りネットワーク単位に符号化形式を指定しているが、端末が複数のグループのうちいずれかに所属するのかを識別できれば、ネットワーク単位に符号化形式を指定することに限定されないものである。例えば、符号化形式情報記憶部１２２では、１つのネットワーク内であっても、グループごとに採用するアドレスの範囲を指定して管理しても良い。
【符号の説明】
【０１０７】
１０…メディア変換システム、１１…メディア変換装置、１１１…制御部、１１２…パケットスイッチ部、１１３…パケット入出力部、１１４…メディア変換部、１２…呼制御装置、１２１…メディア情報記憶部、５０…制御信号パケット、６０…メディアデータ信号パケット、７０…非メディアデータ信号パケット。
【図１】
2010035226.tif 000003
【図２】
2010035226.tif 000004
【図３】
2010035226.tif 000005
【図４】
2010035226.tif 000006
【図５】
2010035226.tif 000007
【図６】
2010035226.tif 000008
【図７】
2010035226.tif 000009
【図８】
2010035226.tif 000010